【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
電気音響トランスジューサを欠いた領域と、
前記領域の周辺における電気音響トランスジューサの第１のグループであって、第１の
オーディオ信号を表す第１の音場を生成するように構成された電気音響トランスジューサ
の第１のグループと、
前記閉じられた領域の周辺における電気音響トランスジューサの第２の異籾なるグループ
であって、第２のオーディオ信号を表す第２の異なる音場を生成するように構成された電
気音響トランスジューサの第２の異なるグループとを含み、
前記第１の音場と前記第２の音場とのうちの１つが、方向付け可能な音響ビームであることを特徴とするスピーカ。
【請求項２】
トランスジューサの前記第１のグループは、トランスジューサの前記第２のグループが
配置されている領域の周辺の一部とは実質的に反対の前記領域の周辺の一部に配置される
ことを特徴とする、請求項１に記載のスピーカ。
【請求項３】
トランスジューサの前記第１のグループは前記領域の左側に配置され、トランスジュー
サの前記第２のグループは前記領域の右側に配置されることを特徴とする、請求項２に記
載のスピーカ。
【請求項４】
前記領域の周辺における電気音響トランスジューサの第３のグループであって、第３の
オーディオ信号を表す第３の音場を生成するように構成された電気音響トランスジューサ
の第３のグループを更に含むことを特徴とする、請求項３に記載のスピーカ。
【請求項５】
トランスジューサの前記第３のグループは、前記領域の底部周辺に配置されることを特
徴とする、請求項４に記載のスピーカ。
【請求項６】
トランスジューサの前記第１のグループは左側のサラウンドサウンドチャネルのオーデ
ィオ信号を出力することに適応しており、トランスジューサの前記第２のグループは右側
のサラウンドサウンドチャネルのオーディオ信号を出力することに適応しており、トラン
スジューサの前記第３のグループは左後方と右後方のサラウンドサウンドチャネルのオー
ディオ信号を出力することに適応していることを特徴とする、請求項４または５に記載の
スピーカ。
【請求項７】
前記トランスジューサの第１、第２及び第３のグループは共に中心のサラウンドサウン
ドチャネルのオーディオ信号を出力するように構成されることを特徴とする、請求項４〜
６のいずれか1項に記載のスピーカ。
【請求項８】
トランスジューサの前記第３のグループは、トランスジューサの前記第１のグループと
少なくとも１つのトランスジューサを共用し、トランスジューサの前記第２のグループと
少なくとも１つの異なるトランスジューサを共用することを特徴とする、請求項４〜７の
いずれか1項に記載のスピーカ。
【請求項９】
前記少なくとも１つの共用されるトランスジューサは前記領域の周辺の隅に配置される
ことを特徴とする、請求項８に記載のスピーカ。
【請求項１０】
前記領域の周辺における電気音響トランスジューサの追加のグループであって、追加の
オーディオ信号を表す追加の音場を生成するように構成された電気音響トランスジューサ
の追加のグループを更に含むことを特徴とする、前述の請求項のいずれか1項に記載のス
ピーカ。
【請求項１１】
電気音響トランスジューサの３つの追加グループが存在し、電気音響トランスジューサ
の全部で５つのグループが存在し、トランスジューサの各グループは異なるサラウンドサ
ウンドオーディオチャネルを表す音場を生成するように構成されることを特徴とする、請
求項１０に記載のスピーカ。
【請求項１２】
トランスジューサを欠く前記領域は矩形であってこの矩形の長辺は水平であることを特
徴とする、前述の請求項のいずれか1項に記載のスピーカ。
【請求項１３】
トランスジューサを欠く前記領域はビジュアルディスプレイスクリーンを含むことを特
徴とする、前述の請求項のいずれか1項に記載のスピーカ。
【請求項１４】
トランスジューサを欠く前記領域の周辺の少なくとも２／７の周りにトランスジューサ
が配置されることを特徴とする、前述の請求項のいずれか1項に記載のスピーカ。
【請求項１５】
トランスジューサを欠く前記領域の少なくとも一部をカバーする光学的に透明なトラン
スジューサを更に含むことを特徴とする、前述の請求項のいずれか1項に記載のスピーカ
。
【請求項１６】
電気音響トランスジューサの前記第１のグループは使用時に前記第１のグループが第１
の音響ビームを２次元に広がる方向の範囲に向ける能力を与えるように２次元に広がるこ
とを特徴とする、前述の請求項のいずれか1項に記載のスピーカ。
【請求項１７】
トランスジューサの前記第１、第２のグループは互いに隣接していることを特徴とする
、前述の請求項のいずれか1項に記載のスピーカ。
【請求項１８】
前記第１の音場はトランスジューサの前記第１のグループを使用して方向付け可能な音
響ビームであることを特徴とする、前述の請求項のいずれか1項に記載のスピーカ。
【請求項１９】
前記第２の音場はトランスジューサの前記第２のグループを使用して方向付け可能な音
響ビームであることを特徴とする、前述の請求項のいずれか1項に記載のスピーカ。
【請求項２０】
前記音響ビームは、１グループの各トランスジューサを駆動するオーディオ信号に、選
択されたディジタル遅延を導入することによって方向付け可能であることを特徴とする、
請求項１８または１９に記載のスピーカ。
【請求項２１】
前記第１のオーディオ信号は第１の番組のものであり、前記第２のオーディオ信号は第
２の異なる番組のものであることを特徴とする、請求項１〜３のいずれか1項に記載のス
ピーカ。
【請求項２２】
前記スピーカは前記領域の周辺における電気音響トランスジューサの追加のグループを
更に含み、トランスジューサの前記グループの各々は追加のオーディオ信号を表す追加の
音場を生成するように構成され、前記追加のオーディオ信号は各々異なる番組のものであ
ることを特徴とする、請求項２１に記載のスピーカ。
【請求項２３】
トランスジューサの前記第１及び第２のグループは少なくとも１個のトランスジューサ
が前記第１及び第２のグループによって共用されるようにオーバーラップしていることを
特徴とする、前述の請求項のいずれか1項に記載のスピーカ。
【請求項２４】
トランスジューサの複数のグループが存在し、各グループは異なるオーディオ信号を表
す音場を生成するように構成され、トランスジューサのこれらのグループの幾つかはオー
バーラップしていることを特徴とする、前述の請求項のいずれか1項に記載のスピーカ。
【請求項２５】
各々の音場が異なるオーディオ信号を表す２つ以上の異なる同時的音場を生成するよう
に、各グループが１つのＤＤＡＬを形成する２つ以上の同じでないグループで使用される
電気音響トランスジューサのアレイを含むことを特徴とするディジタルスピーカ。
【請求項２６】
電気音響トランスジューサを欠く閉じられた領域を含むスピーカであって、前記閉じら
れた領域はこの閉じられた領域とオーバーラップしないように、また互いに実質的にオー
バーラップしないようにこの閉じられた領域の外側エッジに近接または隣接して配置され
た５個以上の電気音響トランスジューサの１セットを持っており、この閉じられた領域の
表面積はこれらトランスジューサのいずれのものの音響放射表面積よりも実質的に大きく、
前記電気音響トランスジューサのセットが、方向付け可能な音響ビームを生成するように配置されていることを特徴とするスピーカ。
【請求項２７】
前記閉じられた領域の表面積は前記スピーカ内のすべてのトランスジューサの全音響放
射表面積の半分より大きいことを特徴とする、請求項２６に記載のスピーカ。
【請求項２８】
電気音響トランスジューサを欠く前記領域に配置されたテレビジョンスクリーンまたは
モニタスクリーンと統合された前述の請求項のいずれか1項に記載のスピーカを有するこ
とを特徴とするテレビジョンまたはコンピュータモニタ。